(57)【特許請求の範囲】
【請求項１】
パイロットカラーバー信号を輝度信号と色差信号とに分離する映像信号変換部と、前記パイロットカラーバー信号の１ラインごとのホワイトレベルでの輝度信号のピークレベルとライン幅とを検出する輝度信号検出部と、前記輝度信号のピークレベルを検出したライン幅における色差信号のピークレベルを検出する色差信号検出部と、前記検出されたライン幅と予め決めておいた設定幅との比較を行い、設定幅の方が広かった場合はキャンセルを行い、狭かった場合は前記輝度信号のピークレベル及び前記色差信号のピークレベルがそれぞれ正常値であるか否かを判定するレベル判定部とを有することを特徴とする映像信号レベルチェッカー。
【請求項２】
前記輝度信号検出部と前記色差信号検出部は、ＶＴＲの起動のタイミングに合わせてある測定開始信号を受けて検出を開始することを特徴とする請求校１記載の映像信号レベルチェッカー。
【発明の詳細な説明】
【０００１】
【発明の属する技術分野】
本発明は、番組送出システムに関し、特にＶＴＲやテープなどで番組送出前に、映像信号のレベルチェックを行うためのレベルチェッカーに関する。
【０００２】
【従来の技術】
従来、番組送出システムでは、ＶＴＲやテープなどの素材を番組として送出するときは、番組送出に先立って映像信号のレベルをレベルチェッカーによりチェックしている。ＶＴＲなどの映像信号のレベルをチェックする番組送出システムの系統は、図３に示すようになっている。
【０００３】
ＶＴＲやテープなどのテープ収録の構成は、図４に示すような形式となっている。つまり、実際に送出する本編枠の素材の前に、その素材の映像信号レベルをチェックすることができるように、チェックパターンとしてのパイロットカラーバーを挿入している。
【０００４】
ＶＴＲやテープのパイロットカラーバーは、例えば図５に示すようなカラーバーである。図３のレベルチェッカーでは、図５に示すようなカラーバーの、フィールド画像有効期間をスキャンして、そのカラーバー中で１ライン中のピークホワイトのレベルを検出する。ピークホワイトのレベルの許容範囲は予め決めておき、検出したピークホワイトレベルが許容範囲内であればＯＫとし、外れていれば異常として図３のアラーム監視装置などへ通知する。
【０００５】
【発明が解決しようとする課題】
ＶＴＲやテープなどのテープ収録にあるパイロットカラーバーには、図６に示すように本編の素材を判別するための局名のロゴや素材番号などをスーパー素材にして重畳している場合がある。この場合のスーパー素材は、ＶＴＲに収録している本編枠の映像信号のレベルとは関係なく制作され、パイロットカラーバー部分に重畳されている。
【０００６】
従来のレベルチェッカーでスーパー重畳されたパイロットカラーバーのピークホワイトのレベルを検出すると、スーパーのホワイト部分をピークホワイトレベルと検出してしまい、検出したピークホワイトレベルが許容範囲を外れている場合がある。このとき、本来のパイロットカラーバーのピークホワイトレベルが許容範囲内にあっても、スーパー部分のピークホワイトレベルが許容範囲から外れていると、パイロットカラーバーのピークホワイトレベルと基準として同じピークホワイトレベルにある本編枠の映像信号レベルとは関係なくレベル異常となってしまうという問題がある。
【０００７】
【課題を解決するための手段】
本発明の映像信号レベルチェッカーは、パイロットカラーバー信号を輝度信号と色差信号とに分離する映像信号変換部と、前記パイロットカラーバー信号の１ラインごとのホワイトレベルでの輝度信号のピークレベルとライン幅とを検出する輝度信号検出部と、前記輝度信号のピークレベルを検出したライン幅における色差信号のピークレベルを検出する色差信号検出部と、前記検出されたライン幅と予め決めておいた設定幅との比較を行い、設定幅の方が広かった場合はキャンセルを行い、狭かった場合は前記輝度信号のピークレベル及び前記色差信号のピークレベルがそれぞれ正常値であるか否かを判定するレベル判定部とを有することを特徴とする。
【０００８】
【発明の実施の形態】
本発明の実施の形態について図面を参照して詳細に説明する。図１を参照すると、ＶＴＲの冒頭にある本編の素材を判別するための局名のロゴや素材番号などをスーパー素材として重畳してあるパイロットカラーバー信号１（図６参照）を映像信号入力部４へ入力する。パイロットカラーバー信号１は、映像信号入力部４の映像信号イコライザ回路２と映像信号同期回路３で波形整形されて、映像信号変換部７へ供給される。映像信号変換部７では、シリアル／パラレル変換回路５でシリアルデジタル映像信号をパラレルデジタル映像信号へ変換する。パラレルデジタル映像信号に変換されたスーパーを重畳しているパイロットカラーバー信号１は、Ｙ／Ｃ分離回路６へ供給され輝度信号と色差信号に分離して、レベル検出部１１へ供給される。
【０００９】
レベル検出部１１では、前記Ｙ／Ｃ分離回路６から供給されるパイロットカラーバー信号１の輝度信号が輝度信号検出回路８へ入力される。輝度信号検出回路８では、パイロットカラーバー信号１のフィールド画像有効期間をスキャンして、１ラインごとにホワイトレベルでの輝度信号のピークレベルとライン幅（〜数μＳ）を検出する。輝度信号検出回路８は、通常はパイロットカラーバー中のホワイト部分を検出するが、今回のようにスーパー重畳されている時は、スーパー重畳している白文字など部分の輝度レベルの方が大きいことがあり、この場合スーパー部分の輝度レベルとライン幅を検出することになる。前記輝度信号レベルとライン幅は、レベル判定部１７とレベル表示部２４へ供給される。
【００１０】
また前記Ｙ／Ｃ分離回路６から供給される色差信号は、色差信号検出回路９へ入力する。色差信号検出回路９では、前記輝度信号のピークレベルを検出したところのライン幅の中で、色差信号レベルの最大値を検出する。上述のとおり、スーパー重畳されている部分の輝度レベルを検出している時は、その部分の色差信号を検出することになる。前記色差信号レベルは、レベル判定部１７とレベル表示部２４へ供給される。
【００１１】
輝度信号検出回路８と色差信号検出回路９の検出を開始するタイミングは、ＶＴＲのパイロットカラーバー部分に合わせて検出しなければいけないため、パイロットカラーバー信号１が映像信号レベルチェッカーに入力するタイミングに合わせるように制御する必要がある。このためＶＴＲなどの起動のタイミングに合わせてある測定開始信号１２を外部より供給し、検出回路スタート信号発生器１０に入力し、前記輝度信号検出回路８と色差信号検出回路９をスタートさせる。
【００１２】
レベル判定部１７では、前記輝度信号のピークレベルとその時のライン幅を輝度レベル判定回路１３へ入力する。輝度レベル判定回路１３では、１ライン中のホワイトレベル幅を設定するホワイトレベル幅設定部１４と、測定するホワイトレベルの、上限と下限の輝度信号レベルを設定するホワイトレベル上限下限設定部１５を有しており、供給されたライン幅が前記ホワイトレベル幅設定部１４において設定した幅を越えているかを判定し、ライン幅が設定値を越えている際の輝度信号のピークレベルについて、ホワイトレベル上限下限設定部１５にて設定した輝度信号のレベルを満たしているかどうかを判定する。
【００１３】
すなわちパイロットカラーバーに重畳しているスーパーの白文字などのライン幅は、通常のカラーバーのホワイト幅より狭いため、ホワイトレベル幅設定部１４の設定値より小さくなり、判定回路からキャンセルされるため、輝度信号のピークレベルが異常値にあってもレベル異常と判定することはない。ライン幅が設定値を越えている時は、輝度信号のピークレベルについてホワイトレベル上限下限設定部１５にて設定した輝度信号のレベル満たしているかどうかを判定し、判定結果をレベル判定出力回路１８へ供給する。
【００１４】
また上述の色差信号レベルの最大値は色差レベル判定回路１６へ入力する。色差レベル判定回路１６では、測定するホワイトレベルの色差レベルの上限と下限を設定する色差信号上限下限設定部１７を有しており、前記供給された色差信号の最大値が色差信号上限下限設定部１７で設定された規定値であるかどうか判定し、判定結果をレベル判定出力回路１８へ供給する。
【００１５】
レベル判定出力回路１８では、前記輝度レベル判定回路１３の判定結果で、スーパー信号とみなしてキャンセルしているときのライン幅については、色差レベル判定回路１６の判定結果についてもキャンセルする。通常のパイロットカラーバー信号の時に、それぞれのレベルに異常があれば外部へ通知する。
【００１６】
レベル表示部２４では、上述の輝度信号検出回路８から供給される輝度信号のピークレベルを輝度レベル表示部２０へ入力し、例えば７セグＬＥＤなどの表示器２１を制御し輝度信号のピークレベルの最大値を数値表示する。また上述の色差信号検出回路９から供給される色差信号レベル最大値が、色差レベル表示部２２へ入力し、例えば７セグＬＥＤなどの表示器２３を制御し色差信号レベルの最大値を数値表示する。
【００１７】
次に本発明の第２の実施の形態について図２を用いて説明を行う。第１の実施の形態のライン幅を設定し判定する方式のレベル判定部１１だと、横長の文字やロゴなどがスーパー素材となっていると、ホワイトレベル幅設定部１４の設定値（パイロットカラーバーのホワイトレベル幅）に合致してしまう場合があり、スーパーとしてキャンセルされない可能性があった
第２の実施の形態におけるレベル判定部１１では、上述の可能性を考慮して、輝度レベル判定回路１３に、ホワイト面積設定部２５と、ピークレベルラインメモリ２６を付加している。すなわち、レベル検出部１１より供給された輝度信号のピークレベルは、検出されたホワイト面積がホワイト面積設定部２５の設定値になるまでピークレベルラインメモリ２６に一旦保存され、設定値の面積以上になったとき、輝度信号のピークレベルについて、ホワイトレベル上限下限設定部１５にて設定した輝度信号のレベルを満たしているかどうかを判定する。
【００１８】
このことにより、第２の実施の形態では、パイロットカラーバーに重畳しているスーパー信号がロゴや横長の白文字であっても、その面積ではホワイトレベル面積定部１４の設定値未満となり、輝度レベル判定回路１３からキャンセルされるため、スーパー信号の輝度信号のピークレベルが異常値にあってもレベル異常と判定することはない。
【００１９】
【発明の効果】
以上のように、本発明によれば、ＶＴＲやテープなどの本編枠の映像信号レベルがパイロットカラーバーにスーパーが重畳してあることに関係なく、番組として送出することに先立って、正規レベルであるかどうかをチェックすることができる。
【図面の簡単な説明】
【図１】本発明の実施の形態を示すブロック図である。
【図２】本発明の第２の実施の形態におけるレベル判定部のブロック図である。
【図３】ＶＴＲ等のレベルをチェックするシステムの系統を示す図である。
【図４】ＶＴＲ等のテープ収録の構成を示す図である。
【図５】ＶＴＲ等のパイロットカラーバーの例を示す図である。
【図６】ロゴや素材番号を重畳したパイロットカラーバーの例を示す図である。
【符号の説明】
１  パイロットカラーバー
２  映像信号イコライザ回路
３  映像信号同期回路
４  映像信号入力部
５  シリアル／パラレル変換回路
６  Ｙ／Ｃ分離回路
７  映像信号変換部
８  輝度信号検出回路
９  色差信号検出回路
１０  検出信号スタート発生器
１１  レベル検出部
１２  測定開始信号
１３  輝度レベル判定回路
１４  色差レベル判定回路
１５  ホワイトレベル上限下限設定部
１６  ホワイトレベル幅設定部
１７  レベル判定部
１８  レベル判定出力部
１９  判定出力
２０  輝度レベル表示回路
２１  表示器
２２  色差レベル判定回路
２３  表示器
２４  レベル表示器
２５  ホワイト面積設定部
２６  ピークレベルラインメモリ
【図１】
0004603200.tif 000002
【図２】
0004603200.tif 000003
【図３】
0004603200.tif 000004
【図４】
0004603200.tif 000005
【図５】
0004603200.tif 000006
【図６】
0004603200.tif 000007